(57)【要約】【課題】使用者が良好な操作感を得ることができるレンズ鏡筒及びカメラを提供する。【解決手段】外周面（１０ｂ）の一部が外部へ露出し、内周面（１０ａ）に有底溝（１２）が形成されるとともに、前記外周面（１０ｂ）から前記有底溝（１２）に達する孔（１１）が形成された第１の筒状部材（１０）と、前記第１の筒状部材（１０）の前記外周面（１０ｂ）に装着されたカバー部材（２０）と、前記孔（１１）を前記第１の筒状部材（１０）の外周面（１０ｂ）とほぼ面一になるように塞ぐ蓋部材（３０）とを備える。【選択図】図１
2008268439.tif 000002
【特許請求の範囲】
【請求項１】
外周面の一部が外部へ露出し、内周面に有底溝が形成されるとともに、前記外周面から前記有底溝に達する孔が形成された第１の筒状部材と、
前記第１の筒状部材の前記外周面に装着されたカバー部材と、
前記孔を前記第１の筒状部材の外周面とほぼ面一になるように塞ぐ蓋部材と
を備えていることを特徴とするレンズ鏡筒。
【請求項２】
前記第１の筒状部材を移動可能に保持し、前記有底溝とクロスする第１方向に沿って延びる長溝が形成された第２の筒状部材と、
前記第２の筒状部材の内周面に摺動可能に設けられ、前記第１方向に沿って光学素子を保持する光学素子保持部材と、
前記光学素子保持部材に設けられ、前記有底溝と前記長溝とに摺動可能に係合する駆動ピンとを備えていることを特徴とする請求項１記載のレンズ鏡筒。
【請求項３】
前記蓋部材は、前記外周面から前記孔の底面までの距離とほぼ等しい厚さを有する金属製又はプラスチック製の円板であることを特徴とする請求項１又は２記載のレンズ鏡筒。
【請求項４】
前記円板に指で識別できない大きさの小穴が開けられていることを特徴とする請求項３記載のレンズ鏡筒。
【請求項５】
前記孔の直径は前記有底溝の幅より大きく、前記蓋部材の直径は前記有底溝の幅より大きいが前記孔の直径より小さいことを特徴とする請求項１〜４のいずれか１項記載のレンズ鏡筒。
【請求項６】
前記第１の筒状部材は、外部から手で光学的状態を操作可能な操作部材であることを特徴とする請求項１〜５のいずれか１項記載のレンズ鏡筒。
【請求項７】
前記カバー部材は、弾性材料で作られた部材であることを特徴とする請求項１〜６のいずれか１項記載のレンズ鏡筒。
【請求項８】
請求項１〜７のいずれか１項に記載のレンズ鏡筒と、このレンズ鏡筒が装着されるカメラ本体とを備えていることを特徴とするカメラ。
【発明の詳細な説明】
【技術分野】
【０００１】
この発明はレンズ鏡筒及びカメラに関する。
【背景技術】
【０００２】
従来、カム溝が形成されたプラスチック筒とこのプラスチック筒を包むシームレスのアルミ筒とを備えるカム駆動式のレンズ鏡筒が知られている（特開平８−２７１７７６号公報参照）。
【０００３】
ところで、カムに駆動ピンを組み込むためにカム溝の底部に駆動ピンを挿入するための工具孔を開ける必要がある。このレンズ鏡筒の組立の最終段階でプラスチック筒にアルミ筒が装着され、工具孔が隠されている。
【特許文献１】特開平８−２７１７７６号公報
【発明の開示】
【発明が解決しようとする課題】
【０００４】
これに対し、工具孔を隠すために、プラスチック筒の外周面に操作リングを装着することがある。このとき、操作リングは工具孔よりも大きなプレス板をプラスチック筒の外周面に貼り付けて工具孔を塞いだ後、プラスチック筒に装着される。プレス板によって操作リングの表面に凸部が生じるため、操作リングを手で操作したときの感触が凸部の部分とそれ以外の部分とで異なり、使用者に不快な操作感を与える。また、プレス板をプラスチック筒の外周面に貼り付けないと、工具孔によって操作リングの表面に凹部が生じるため、やはり使用者に不快な操作感を与える。
【０００５】
この発明の課題は使用者が良好な操作感を得ることができるレンズ鏡筒及びカメラを提供することである。
【課題を解決するための手段】
【０００６】
上記課題を解決するため請求項１記載の発明は、外周面の一部が外部へ露出し、内周面に有底溝が形成されるとともに、前記外周面から前記有底溝に達する孔が形成された第１の筒状部材と、前記第１の筒状部材の前記外周面に装着されたカバー部材と、前記孔を前記第１の筒状部材の外周面とほぼ面一になるように塞ぐ蓋部材とを備えていることを特徴とする。
【０００７】
請求項２に記載の発明は、請求項１記載のレンズ鏡筒において、前記第１の筒状部材を移動可能に保持し、前記有底溝とクロスする第１方向に沿って延びる長溝が形成された第２の筒状部材と、前記第２の筒状部材の内周面に摺動可能に設けられ、前記第１方向に沿って光学素子を保持する光学素子保持部材と、前記光学素子保持部材に設けられ、前記有底溝と前記長溝とに摺動可能に係合する駆動ピンとを備えていることを特徴とする。
【０００８】
請求項３に記載の発明は、請求項１又は２記載のレンズ鏡筒において、前記蓋部材は、前記外周面から前記孔の底面までの距離とほぼ等しい厚さを有する金属製又はプラスチック製の円板であることを特徴とする。
【０００９】
請求項４に記載の発明は、請求項３記載のレンズ鏡筒において、前記円板に指で識別できない大きさの小穴が開けられていることを特徴とする。
【００１０】
請求項５に記載の発明は、請求項１〜４のいずれか１項記載のレンズ鏡筒において、前記孔の直径は前記有底溝の幅より大きく、前記蓋部材の直径は前記有底溝の幅より大きいが前記孔の直径より小さいことを特徴とする。
【００１１】
請求項６に記載の発明は、請求項１〜５のいずれか１項記載のレンズ鏡筒において、前記第１の筒状部材は、外部から手で光学的状態を操作可能な操作部材であることを特徴とする。
【００１２】
請求項７に記載の発明は、請求項１〜６のいずれか１項記載のレンズ鏡筒において、前記カバー部材は、弾性材料で作られた部材であることを特徴とする。
【００１３】
請求項８に記載の発明は、請求項１〜７のいずれか１項に記載のレンズ鏡筒と、このレンズ鏡筒が装着されるカメラ本体とを備えていることを特徴とする。
【発明の効果】
【００１４】
この発明によれば、使用者は良好な操作感を得ることができる。
【発明を実施するための最良の形態】
【００１５】
以下、この発明の実施の形態を図面に基づいて説明する。
【００１６】
図１はこの発明の一実施形態に係るレンズ鏡筒の上半分の断面を示す概念図、図２は工具穴を説明するための図、図３（ａ）は蓋部材の平面図、図３（ｂ）はその断面を示す概念図である。
【００１７】
レンズ鏡筒５は距離リング（第１の筒状部材）１０と操作リング（カバー部材）２０と蓋部材３０と固定筒（第２の筒状部材）４０と移動枠（光学素子保持部材）５０と駆動ピン６０とを備えている。
【００１８】
距離リング１０は外部から手で光軸回りに回転させてフォーカシングを行うための環状の操作部材である。距離リング１０の外周面１０ｂの一部は外部へ露出している。距離リング１０の内周面１０ａには距離リング１０が光軸を中心として所定角度だけ回転できるように有底のインナカム溝（有底溝）１２が形成されている。距離リング１０は金属製のものでも、プラスチック製のものでもよい。
【００１９】
また、距離リング１０には駆動ピン６０を移動枠５０に固定させるための工具孔（孔）１１が光軸に対して直交する方向に形成されている。工具孔１１は外周面１０ｂからインナカム溝１２に達する。また、工具孔１１の直径はインナカム溝１２の幅より大きい。
【００２０】
操作リング２０は例えばゴム（弾性材料）製であり、距離リング１０の外周面１０ｂに工具孔１１を覆うように装着されている。
【００２１】
蓋部材３０は工具孔１１とほぼ同形状である。蓋部材３０は外周面１０ｂから工具孔１１の底面１１ａまでの距離とほぼ等しい厚さを有する金属製又はプラスチック製の円板である。蓋部材３０の直径はインナカム溝１２の幅より大きいが工具孔１１の直径より小さい。蓋部材３０は距離リング１０の外周面１０ｂとほぼ面一になるように工具孔１１を塞いでいる。
【００２２】
固定筒４０は距離リング１０を周方向へ移動可能に保持する。固定筒４０は筒状部４０Ａとこの筒状部４０Ａに螺合する環状部４０Ｂとで構成されている。筒状部４０Ａにはインナカム溝１２とクロスし、光軸方向（第１方向）Ｌに沿って延びる直進溝（長溝）４２が形成されている。直進溝４２の幅はインナカム溝１２の幅と同じである。また、固定筒４０の後端にはカメラ本体側のマウント（図示せず）に装着するためのマウント４１が形成されている。
【００２３】
駆動ピン６０は頭部６０ｂとねじ部６０ｃとで構成されている。ねじ部６０ｃは移動枠５０の後部（カメラ本体７０側）に形成されためねじ５０ｃにねじ込まれ、頭部６０ｂは直進溝４２を通ってインナカム溝１２に達し、両溝４２，１２に対して摺動可能に係合している。頭部６０ｂの上面にはドライバ（図示せず）の先端部が係合する溝６０ａが形成されている。なお、図示しないが、駆動ピン６０を大径部と小径部とで構成するとともに、移動枠５０に小径部とほぼ同径の孔を形成し、小径部を移動枠５０に形成した孔に圧入することによって駆動ピン６０を移動枠５０に固定するようにしてもよい。
【００２４】
移動枠５０は固定筒４０の内周面４０ａに摺動可能に設けられている。移動枠５０は回転できないが、光軸Ｌ方向に移動できる。移動枠５０はフォーカシングレンズ（光学素子）５１を保持する。
【００２５】
次に、レンズ鏡筒５の組立手順を説明する。
【００２６】
まず、固定筒４０の筒状部４０Ａの外周面４０ｂに距離リング１０を装着する。
【００２７】
次に、筒状部４０Ａに環状部４０Ｂをねじ込む。
【００２８】
その後、固定筒４０の内周面４０ａに移動枠５０を装着する。
【００２９】
次に、工具孔１１と直進溝４２とを一致させ、工具孔１１と直進溝４２とで形成される移動枠５０まで達する孔１３（図２参照）の中心と移動枠５０のめねじ５０ｃの中心とを一致させる。
【００３０】
その後、工具孔１１から駆動ピン６０を挿入し、ドライバを用いて駆動ピン６０のねじ部６０ｃをめねじ５０ｃにねじ込む。
【００３１】
次に、蓋部材３０で工具孔１１を塞ぐ。このとき、蓋部材３０と距離リング１０の外周面１０ｂとがほぼ面一になる。
【００３２】
最後に、操作リング２０を距離リング１０の外周面１０ｂに粘着テープ（図示せず）等によって固定する。
【００３３】
以上の手順を経てレンズ鏡筒５の組立が完成する。
【００３４】
次に、レンズ鏡筒５の動作について説明する。
【００３５】
まず、操作リング２０を手で光軸回りに回転させる。距離リング１０と操作リング２０と一体的に結合しているので、距離リング１０が操作リング２０と一体に回転する。また、移動枠５０に固定された駆動ピン６０は直進溝４２とインナカム溝１２とに摺動可能に係合している。したがって、距離リング１０が光軸回りに回転すると、移動枠５０は直進溝４２によって光軸回りの回転を規制され、フォーカシングレンズ５１と一体に直進溝４２に沿って光軸方向へ移動し、フォーカシングが行われる。
【００３６】
この実施形態によれば、工具孔１１が蓋部材３０で距離リング１０の外周面１０ｂとほぼ面一になるように塞がれているので、操作リング２０の表面に凹凸が生じず、操作リング２０を手で操作したとき、使用者は良好な操作感を得ることができる。また、操作リング２０の表面に凹凸が生じないので、レンズ鏡筒５の見栄えも良くなる。なお、操作リング２０は距離リング１０を手で回転させる際の滑り止めの役割を果たすことができる。更に、外周面１０ｂから工具孔１１の底面１１ａまでの距離とほぼ等しい厚さを有する金属製又はプラスチック製の円板を蓋部材３０として採用したので、操作感を損なわせることなく蓋部材３０に所定の強度を持たせることができる。また、工具孔１１の直径をインナカム溝１２の幅より大きくし、蓋部材３０の直径をインナカム溝１２の幅より大きく、工具孔１１の直径より小さくしたので、蓋部材３０の全体を工具孔１１に収容し、蓋部材３０の外周縁を外周面１０ｂにはみ出させることなく工具孔１１の底面１１ａに載せることができる。
【００３７】
図４（ａ）は蓋部材の変形例に係る平面図、図４（ｂ）はその断面を示す概念図である。
【００３８】
この変形例の蓋部材３５の中央部に指で識別できない大きさの小穴３６が開けられている点で図３の蓋部材３０と異なり、外径、厚さ、材料等は蓋部材３０と同じである。
【００３９】
小穴３６の直径は１ｍｍ程度である。
【００４０】
この変形例の蓋部材を用いたとき、蓋部材３０と同様の効果を奏するとともに、小穴３６にピン等を差し込むことによって蓋部材３５を工具孔１１から容易に取り外すことができるので、蓋部材３５を取り外す際の作業性が向上する。
【００４１】
なお、上記実施形態は本発明をフォーカシングレンズを保持するレンズ鏡筒に適用したが、ズームレンズを保持するレンズ鏡筒に適用してもよい。
【図面の簡単な説明】
【００４２】
【図１】図１はこの発明の一実施形態に係るレンズ鏡筒の上半分の断面を示す概念図である。
【図２】図２は工具穴を説明するための図である。
【図３】図３（ａ）は蓋部材の平面図、図３（ｂ）はその断面を示す概念図である。
【図４】図４（ａ）は蓋部材の変形例に係る平面図、図４（ｂ）はその断面を示す概念図である。
【符号の説明】
【００４３】
５：レンズ鏡筒、１０：距離リング（第１の筒状部材）、１０ａ，４０ａ：内周面、１０ｂ，４０ｂ：外周面、１１：工具孔（孔）、１１ａ：底面、１２：インナカム溝（有底溝）、２０：操作リング（カバー部材）、３０，３５：蓋部材、３６：小穴、４０：固定筒（第２の筒状部材）、４２：直進溝（長溝）、５０：移動枠（光学素子保持部材）、５１：フォーカシングレンズ（光学素子）、６０：駆動ピン、７０：カメラ本体。
【図１】
2008268439.tif 000003
【図２】
2008268439.tif 000004
【図３】
2008268439.tif 000005
【図４】
2008268439.tif 000006